(57)【要約】【課題】靴下を脱ぐ際に補助的に使用する靴下脱具において、靴下を損傷したり、足を怪我することなく、容易に靴下を脱がせることができ、しかも、脱いだ靴下が靴下脱具から落下することがないようにすること。【解決手段】本発明では、靴下を脱ぐ際に使用する靴下脱具において、上端部に把持部を形成した把持体の下端部後面に挟持体を前記把持体の後面から漸次拡開状に設けることにした。特に、前記挟持体は、前後に弾性変形可能に形成した。また、前記把持体は、前面を凹状湾曲面とした。さらに、前記把持体及び挟持体は、凹状円弧断面を有し、把持体の幅員及び曲率よりも挟持体の幅員及び曲率を小さく形成することにした。【選択図】図５
2008029499.tif 000002
【特許請求の範囲】
【請求項１】
靴下を脱ぐ際に使用する靴下脱具において、
上端部に把持部を形成した把持体の下端部後面に挟持体を前記把持体の後面から漸次拡開状に設けたことを特徴とする靴下脱具。
【請求項２】
前記挟持体は、前後に弾性変形可能に形成したことを特徴とする請求項１に記載の靴下脱具。
【請求項３】
前記把持体は、前面を凹状湾曲面としたことを特徴とする請求項１又は請求項２に記載の靴下脱具。
【請求項４】
前記把持体及び挟持体は、凹状円弧断面を有し、把持体の幅員及び曲率よりも挟持体の幅員及び曲率を小さく形成したことを特徴とする請求項１〜請求項３のいずれかに記載の靴下脱具。
【発明の詳細な説明】
【技術分野】
【０００１】
本発明は、靴下を脱ぐ際に使用する靴下脱具に関するものである。
【背景技術】
【０００２】
主に高齢者や身障者にとっては、腰をかがめながら自ら靴下を脱ぐ動作を行うことは困難である。
【０００３】
そのため、立った姿勢のまま或いは座った姿勢のまま腰をかがめることなく容易に靴下を脱げるようにするための補助具として、靴下脱具が考えられている（たとえば、特許文献１参照。）。
【０００４】
この従来の靴下脱具は、左右に開閉する一対の棒状体の下端部に湾曲させた板状体をそれぞれ取付けた構造となっており、足と靴下との間に板状体を挿入し、棒状体を左右に開くことで靴下の開口部を左右の板状体で強制的に開き、その状態で棒状体を足に沿って下方に向けて操作して靴下を脱ぐようにしていた。
【０００５】
【特許文献１】特開２０００−２７０９９６号公報
【発明の開示】
【発明が解決しようとする課題】
【０００６】
ところが、上記従来の靴下脱具では、左右の板状体によって靴下の開口部を強制的に開かせていたために、靴下の開口部を傷めてしまうおそれがあった。
【０００７】
また、左右の棒状体を開くことで左右の板状体を開いた状態にしながら足に沿って板状体を移動させることになるために、板状体の移動途中で板状体がくるぶしに当たってしまい、足を怪我するおそれもあった。
【課題を解決するための手段】
【０００８】
そこで、請求項１に係る本発明では、靴下を脱ぐ際に使用する靴下脱具において、上端部に把持部を形成した把持体の下端部後面に挟持体を前記把持体の後面から漸次拡開状に設けることにした。
【０００９】
また、請求項２に係る本発明では、前記請求項１に係る本発明において、前記挟持体は、前後に弾性変形可能に形成することにした。
【００１０】
また、請求項３に係る本発明では、前記請求項１又は請求項２に係る本発明において、前記把持体は、前面を凹状湾曲面とすることにした。
【００１１】
また、請求項４に係る本発明では、前記請求項１〜請求項３のいずれかに係る本発明において、前記把持体及び挟持体は、凹状円弧断面を有し、把持体の幅員及び曲率よりも挟持体の幅員及び曲率を小さく形成することにした。
【発明の効果】
【００１２】
そして、本発明では、以下に記載する効果を奏する。
【００１３】
すなわち、請求項１に係る本発明では、靴下を脱ぐ際に使用する靴下脱具において、上端部に把持部を形成した把持体の下端部後面に挟持体を把持体の後面から漸次拡開状に設けているために、把持体を足の踵に沿って移動させるだけで靴下を脱ぐことができるので、靴下に無理な力がかかって破損してしまうおそれがなく、また、把持体がくるぶしに当たって足を怪我してしまうおそれもない。しかも、靴下を把持体と挟持体とで挟持することができるので、把持体を持ち上げて靴下を容易に取外すことができる。
【００１４】
また、請求項２に係る本発明では、挟持体を前後に弾性変形可能に形成しているために、挟持体の前後への弾性変形によって把持体と挟持体とで靴下をしっかりと挟持することができ、操作途中で靴下が脱落してしまうのを防止することができる。
【００１５】
また、請求項３に係る本発明では、把持体の前面を凹状湾曲面としているために、足の踵に沿って把持体を移動させる際に把持体が左右にぶれてしまうことがなくなり、使い勝手を向上させることができる。しかも、把持体を靴べらとしても兼用することができる。
【００１６】
また、請求項４に係る本発明では、把持体及び挟持体が凹状円弧断面を有し、把持体の幅員及び曲率よりも挟持体の幅員及び曲率を小さく形成しているために、挟持体の左右両端部の二箇所で靴下を挟持することができるので、把持体と挟持体とで靴下をしっかりと挟持することができ、操作途中で靴下が脱落してしまうのを防止することができる。
【発明を実施するための最良の形態】
【００１７】
本発明に係る靴下脱具の具体的な構成について図面を参照しながら説明する。
【００１８】
図１〜図４に示すように、靴下脱具１は、上下に伸延する薄板状の把持体２の上端部に楕円断面形状の把持部３を形成するとともに、把持体２の下端部後面に薄板状の挟持体４を貼着している。
【００１９】
把持体２は、断面形状が凹状の円弧となっており、これにより、前面が凹状の湾曲面となっている。
【００２０】
挟持体４は、断面形状が凹状の円弧となっており、しかも、下端部において後方に半円弧状に反っている。これにより、挟持体４は、下端部において把持体２の後面から漸次拡開した状態となっている。
【００２１】
この挟持体４は、把持体２の幅員よりも狭い幅員となっており、しかも、把持体２の凹状断面の曲率よりも小さい曲率の凹状断面となっている。そして、挟持体４は、左右端部で把持体２の後面に取付けられている。
【００２２】
これらの把持体２や挟持体４は、プラスチックや木などの弾性部材で形成されており、前後方向に向けて弾性変形できるようになっている。
【００２３】
靴下脱具１は、図５に示すように、把持体２の下端部を足５と靴下６との間に上方から挿入し、把持体２の下端部を足５の踵に沿って下方へ向けて移動すると、靴下６の開口部７が把持体２と挟持体４との間に挿入されて把持体２と挟持体４とで挟持され、さらに、把持体２の下端部を下方へ移動すると、靴下６が足５から摺り下げられ、これにより、足５から靴下６を脱がすことができる。
【００２４】
以上に説明したように、靴下脱具１は、上端部に把持部３を形成した把持体２の下端部後面に挟持体４を把持体２の後面から漸次拡開状に設けた構成となっている。
【００２５】
そのため、上記靴下脱具１は、把持体２を足５の踵に沿って下方に向けて移動させるだけで靴下６を脱がせることができ、靴下６を脱ぐ際に使用する補助具として機能する。
【００２６】
そして、上記靴下脱具１では、把持体２を足５の踵に沿って移動させるだけで靴下６を脱がせることができるので、靴下６に無理な力がかかって破損してしまうおそれがなく、また、把持体２がくるぶしに当たって足を怪我してしまうおそれもない。
【００２７】
しかも、上記靴下脱具１では、把持体２の後面と挟持体４の前面との間が下方に向けて漸次拡開しているために、把持体２の下端部を足５の踵に沿って下方へ向けて移動することで、靴下６の開口部７が徐々に把持体２の後面と挟持体４の前面との間に挿入され、これにより、靴下６の開口部７を把持体２と挟持体４とでしっかりと挟持することができるので、靴下６を脱いだ後で把持体２を持ち上げて靴下６を容易に取外すことができる。
【００２８】
また、上記靴下脱具１では、挟持体４を前後に弾性変形可能に形成しているために、挟持体４の前後への弾性変形によって把持体２と挟持体４とで靴下６をしっかりと挟持することができ、操作途中で靴下６が靴下脱具１から脱落してしまうのを防止することができる。
【００２９】
また、上記靴下脱具１では、把持体２の前面を凹状湾曲面としているために、足５の踵に沿って把持体２を移動させる際に把持体２が左右にぶれてしまうことがなくなり、使い勝手を向上させることができる。
【００３０】
しかも、上記靴下脱具１では、把持体２の前面を凹状湾曲面としているために、把持体２を靴べらとしても兼用することができる。
【００３１】
さらに、上記靴下脱具１では、把持体２及び挟持体４が凹状円弧断面を有し、把持体２の幅員及び曲率よりも挟持体４の幅員及び曲率を小さく形成しているために、挟持体４の左右両端部の二箇所で靴下６を挟持することができるので、これによっても、把持体２と挟持体４とで靴下６をしっかりと挟持することができ、操作途中で靴下６が脱落してしまうのを防止することができる。
【図面の簡単な説明】
【００３２】
【図１】本発明に係る靴下脱具を示す背面図。
【図２】同左側面図。
【図３】同左側面断面図。
【図４】同水平断面図。
【図５】靴下脱具の使用方法を示す説明図。
【符号の説明】
【００３３】
１  靴下脱具
２  把持体
３  把持部
４  挟持体
５  足
６  靴下
７  開口部
【図１】
2008029499.tif 000003
【図２】
2008029499.tif 000004
【図３】
2008029499.tif 000005
【図４】
2008029499.tif 000006
【図５】
2008029499.tif 000007